(57)【特許請求の範囲】
【請求項１】
手摺り棒の端部に設けられるエンドブラケットであって、
固定具によって取付面に固定される固定部及び前記手摺り棒の端部が嵌め込まれる棒受け部を有し、該手摺り棒の端部を支持する本体部と、前記本体部に対して前記棒受け部側から前記固定部側に向かってスライドされて装着され側方からねじ止めされるカバー部とを備えており、
前記本体部の両側方には、前記棒受け部側から前記固定部側に向かって突出高さが漸次高くなるように傾斜し、かつ前記固定部近傍にねじ孔がそれぞれに形成された立壁部が設けられており、
前記カバー部の両側方には、略垂直方向に立ち上がって前記立壁部に被さるように形成され、該カバー部の装着状態における前記棒受け部側から前記固定部側に向かって突出高さが漸次高くなるように傾斜し、かつ前記固定部近傍に前記ねじ孔の形成位置にあわせて挿通孔がそれぞれに形成された側方部が設けられていることを特徴とするエンドブラケット。
【請求項２】
請求項１において
前記本体部の固定部には、前記固定具を挿通させるための挿通孔が形成され、
前記本体部は、前記手摺り棒の長手方向に沿う方向に見て、前記固定部から前記棒受け部に向けてテーパー状に形成されていることを特徴とするエンドブラケット。
【発明の詳細な説明】
【技術分野】
【０００１】
本発明は、手摺り棒の端部に設けられ、取付面に対して手摺り棒を固定支持するエンドブラケットに関する。
【背景技術】
【０００２】
階段や玄関、廊下などに設けられる手摺りは、壁面や笠木などの取付面に固着されたブラケットによって固定支持されており、従来よりこのような手摺り棒の端部に取り付けられ、本体部とカバー部とで構成されるエンドブラケットが知られている。
【０００３】
例えば下記特許文献１には、手摺り取り付け座及び壁取り付け座を露出させる開口を備えた本体部にカバー部が被着されたエンドブラケットが開示されている。
これによれば、手摺り取り付け座及び壁取り付け座を露出させた状態で手摺り棒或いは壁に本体部を固定具で固定した後、本体部の外観と連続する外観のカバー部を開口に着脱自在に被着して該開口を閉塞しているので、取付施工が容易で且つ外観をよくすることができる。
【先行技術文献】
【特許文献】
【０００４】
【特許文献１】特開２００１−３２４９１号公報
【発明の概要】
【発明が解決しようとする課題】
【０００５】
しかしながら上記特許文献１に記載のものは、カバー部を本体部に嵌め込んで被着する構造であるため、カバー部が本体部から取れやすいという問題があった。
特にエンドブラケットは手摺りの端部のコーナーに設けられるため、人や物などが接触しやすくカバー部が外れにくい構造とされたものが求められる。一方、施工時にはカバー部の取り付けが容易にできる構造が望まれる。
【０００６】
本発明は、上記実情に鑑みなされたものであり、カバー部が容易に外れることなく且つ施工が容易なエンドブラケットを提供することを目的とする。
【課題を解決するための手段】
【０００７】
本発明に係るエンドブラケットは、手摺り棒の端部に設けられるエンドブラケットであって、固定具によって取付面に固定される固定部及び前記手摺り棒の端部が嵌め込まれる棒受け部を有し、該手摺り棒の端部を支持する本体部と、前記本体部に対して前記棒受け部側から前記固定部側に向かってスライドされて装着され側方からねじ止めされるカバー部とを備えており、前記本体部の両側方には、前記棒受け部側から前記固定部側に向かって突出高さが漸次高くなるように傾斜し、かつ前記固定部近傍にねじ孔がそれぞれに形成された立壁部が設けられており、前記カバー部の両側方には、略垂直方向に立ち上がって前記立壁部に被さるように形成され、該カバー部の装着状態における前記棒受け部側から前記固定部側に向かって突出高さが漸次高くなるように傾斜し、かつ前記固定部近傍に前記ねじ孔の形成位置にあわせて挿通孔がそれぞれに形成された側方部が設けられていることを特徴とする。
これによれば、カバー部が本体部から容易に外れてしまうことなく、施工が容易なものとすることができる。
【０００８】
本発明においては、前記本体部の固定部には、前記固定具を挿通させるための挿通孔が形成され、前記本体部は、前記手摺り棒の長手方向に沿う方向に見て、前記固定部から前記棒受け部に向けてテーパー状に形成されているものとしてもよい。
これによれば、固定部側が幅広に形成されることになるので、取付面に対してエンドブラケットの固定部を安定よく強固に固定でき、見栄えのよいものとすることができる。
【発明の効果】
【０００９】
本発明に係るエンドブラケットによれば、カバー部が容易に外れることなく且つ施工が容易なものとすることができる。
【図面の簡単な説明】
【００１０】
【図１】（ａ）及び（ｂ）は本発明の一実施形態に係るエンドブラケットの構成部材をそれぞれ示す図であり、（ａ）は該エンドブラケットの本体部の全体斜視図、（ｂ）は該エンドブラケットのカバー部の全体斜視図である。
【図２】（ａ）は同エンドブラケットの正面図本体部の全体斜視図、（ｂ）は図２（ａ）のＸ−Ｘ線矢視断面図である。
【図３】同エンドブラケットの使用状態を示す図であり、本体部にカバー部が装着される過程を説明するための斜視図である。
【図４】同エンドブラケットの使用状態を示す図であり、本体部にカバー部が装着される過程を説明するための斜視図である。
【発明を実施するための形態】
【００１１】
以下に本発明における実施の形態の一例について、図１〜図４に基づいて説明する。
本発明におけるエンドブラケット１は、壁面や笠木などの取付面５に固定され手摺り棒６の端部に設けて手摺り棒６を固定支持するものである（図３及び図４の使用例参照）。
エンドブラケット１は、硬質樹脂材又は金属材などからなり、固定具９によって取付面５に固定されるとともに手摺り棒６の端部を支持する本体部２と、本体部２にスライドして装着され側方からねじ止めされるカバー部３とを備えている。
手摺り棒６は木質材又は硬質樹脂材などからなり、中実円筒状に形成されており、手摺り棒６の端部はエンドブラケット１によって取付面５に対して略平行に且つ取付面５から所望の間隔を空けた状態で固定支持される。
【００１２】
エンドブラケット１の本体部２は、固定具９を挿通させるための挿通孔２０ａが形成された固定部２０と、手摺り棒６の端面６０の形状に合わせて形成され該端面６０が嵌め入れられる棒受け部２１とを有している。
図１（ａ）に示すように本体部２はカバー部３で覆われる側が開口した有底の箱型ケース体で構成される。
【００１３】
取付面５に固定される固定部２０には、固定具９が挿通される挿通孔２０ａが複数形成されている。ここに形成された挿通孔ａの数や形成位置は特に限定されるものではないが、図例のものは固定部２０には３つの固定具９が挿通される挿通孔２０ａが３つ形成されている。
図１（ａ）に示すように挿通孔２０ａは固定部２０を平面視して略中央に１つ、その略中央に形成された挿通孔２０ａより開口側に２つの挿通孔２０ａが並んで形成されている。また図示していないが、略中央に形成された挿通孔２０ａの両脇に設けられた挿通孔２０ａの形成位置をそれぞれずらして形成してもよい。
また挿通孔２０ａは例えば図２（ｂ）などに示すように取付面５側に接するように形成された凹段部２０ｂに形成するものとしてもよい。
【００１４】
棒受け部２１は、手摺り棒６の側周面方向（長手方向）に突出した筒部２２（図１（ｂ）参照）と、手摺り棒６の端面６０が嵌め入れられるように端面６０の形状及び大きさに合わせて形成される端面部２３と（図１（ａ）参照）を有している。
ここでは手摺り棒１が円筒状からなるので、端面部２３は平面視において円形状に形成されており、筒部２２は手摺り棒６の周縁部６２とその近傍の側周面６１とを覆うにように短筒状に形成されている。
このように棒受け部２１が筒部２２を備えたキャップ状に形成されていることにより、手摺り棒６の端部をしっかりと保護できるとともに、手摺り棒６を安定して支持することができる。
そして端面部２３には手摺り棒６の端部を固定するための固定具１０が挿通される挿通孔２３ａが複数形成されている。
ここでも挿通孔２３ａの数や形成位置は限定されるものではない。
なお、手摺り棒６の固定方法は上述に限定されず、手摺り棒６が短い場合など固定可能であれば、接着剤によって棒受け部２１に固定するようにしてもよい。
【００１５】
本体部２は、例えば図１（ａ）に示すように固定部２０から棒受け部２１に向けてテーパー状に形成されているものとすることが好ましい。
このように漸次固定部２０に向かって棒受け部２１側より固定部２０側が幅広になるものとすれば、固定部２０の取付座の面積が大きくなり、取付面５に対してエンドブラケット１の固定部２０を安定よく強固に固定できる。
またこのように本体部２をテーパー状に形成することによってデザイン性が感じられ、見栄えのよいものとすることができる。
【００１６】
本体部２の開口側に形成されるスライド溝２４及び立壁部２５は、平面視において略Ｕ字型に形成されている。また立壁部２５の突出高さは、棒受け部２１側から固定部２０側に向かって漸次高くなるよう若干傾斜して形成されている。
立壁部２５の取付面５近傍には、カバー部３をねじ止めするためのねじ４が螺装されるねじ溝（不図示）を備えたねじ孔７が、対向する立壁部２５のそれぞれに形成されている。
そしてスライド溝２４と立壁部２５との間に沿って略Ｕ字状に凹溝２５ａが形成されているものとしてもよい（図２（ｂ）の拡大図参照）。
【００１７】
カバー部３は、本体部２の開口を閉塞するカバー本体３０と、カバー本体３０から略垂直方向に立ち上がって設けられ立壁部２５の上に被さるように形成される側方部３１とを有している。
側方部３１は図１（ｂ）に示すように平面視して略Ｕ字型に形成され、カバー部３がスライドして本体部２に装着されるように本体部２のスライド溝部２４及び立壁部２５に合わせて形成されている。よって、側方部３１は立壁部２５の突出高さに対応してカバー部３の装着状態における棒受け部２１側から固定部２０側に向かって、側方部３１の突出高さも漸次高くなるよう若干傾斜して形成されている。
側方部３１の取付面５近傍には、本体部２のねじ孔７の形成位置にあわせて、ねじ４が挿通される挿通孔８が２つ形成されており、これによりねじ４によってカバー部３を本体部２にねじ止め可能としている。
【００１８】
またカバー部３は本体部２との係合力を高めるため、上述した凹溝２５ａに対応して側方部３１の開口側端部に沿って凸条部３２が形成されていることが望ましい。
図１（ｂ）の部分拡大図に示すように、凸条部３２は側方部３１より若干内方に突出しており、この部分拡大図中に示す点線は側方部３１の内方端部を示している。
よってこの場合、本体部２にスライドしてカバー部３が装着されると、凸条部３２が凹溝２５ａと係合状態となる。
【００１９】
さらに凸条部３２における本体部２の挿入方向両端部には、図１（ｂ）に示すように互いに向かう方向に突出した突出部３３が形成されているものとしてもよい。また凸条部３２における本体部２の挿入方向両端部を切欠状とし傾斜面３３ａを有したものとしてもよい。
この場合は、本体部２にカバー部３をスライドさせて装着させる際に、傾斜面３３ａによって立壁部２５への当たりを緩和しスムーズにカバー部３をスライド溝２４へと誘導していくことができる。
またこの場合は、上述の本体部２に形成される凹溝２５ａの固定部２０近傍の両端部にカバー部３の突出部３３を受け入れる係止溝（不図示）が形成される。
【００２０】
次に、図３及び図４を参照しながら、本体部２へのカバー部３の装着方法について説明する。ここでは取付面５として壁面を示している。
まず取付面５に固定部２０を固定し、棒受け部２１に手摺り棒６の端部を固定した後、カバー部３を本体部２にスライドさせて装着する（図３の白抜矢印参照）。カバー部３の側方部３１はテーパー状の本体部２に形成されたスライド溝２４に沿って固定部２０側（取付面５側）に向かってスライドされ、このときカバー部３の凸条部３２は、凹溝２５ａに係止された状態でスライドされる。ここで上述の突出部３３を設けた場合は、突出部３が本体部２の係止溝に係止され、カバー部３が本体部２から容易に外れにくいものとすることができる。
そして図４に示すようにカバー部３の側方部３１に設けられた挿通孔８及びその内方に配置されたねじ孔７に、ねじ４を螺入していき、カバー部３を本体部２にねじ止めする。
こうして容易にカバー部３を本体部２にしっかりと取り付けることができ、またカバー部３が本体部２から容易に外れないものとすることができる。
また図４に示すように、以上によれば、取付面５及び手摺り棒６との固定具９，１０がカバー部３によって見えない状態となり、外観をすっきりと構成することができる。
【００２１】
以上、エンドブラケット１の形状、大きさなどは図例に限定されるものではなく、例えば棒受け部２１の形状は手摺り棒６の端部の形状、大きさに応じて形成される。よって手摺り棒６が角柱状からなる場合は、棒受け部２１の端面部２３の形状が平面視して角柱状に合わせた方形状となる。
またエンドブラケット１は図例のように長手方向横向きに固定される手摺り棒６に限定されず、長手方向縦向きに固定される手摺り棒６のエンドブラケットに適用することもできる。
さらに取付面５としては図例のように壁面だけでなく笠木に取り付けられるエンドブラケット１とすることもできる。
【符号の説明】
【００２２】
１      エンドブラケット
２      本体部
２０      固定部
２１      棒受け部
３      カバー部
５      取付面
６      手摺り棒
９      固定具
【図１】
0005587587.tif 000002
【図２】
0005587587.tif 000003
【図３】
0005587587.tif 000004
【図４】
0005587587.tif 000005